(57)【要約】【課題】シーン変化により不適となった画像処理を施している画像の自動提案を回避する撮像装置を提供すること。【解決手段】画像を撮像する撮像手段と、撮像した動画像を表示する第１の表示制御手段と、所定のタイミングで撮影シーンを解析するシーン解析手段と、前記所定のタイミングで取得した動画像に対し、前記シーン解析の結果に基づく画像処理を施した１枚以上の推奨画像を表示する第２の表示制御手段と、シーン変化を検知するシーン変化検知手段と、を備え、所定のシーン変化の基準に対し、シーン変化が前記所定基準以上の場合、前記推奨画像の表示を取り下げることを特徴とする。【選択図】図３
2019075631.tif 000002
【特許請求の範囲】
【請求項１】
画像を撮像する撮像手段と、
撮像した動画像を表示する第１の表示制御手段と、
所定のタイミングで撮影シーンを解析するシーン解析手段と、
前記所定のタイミングで取得した動画像に対し、前記シーン解析の結果に基づく画像処理を施した１枚以上の推奨画像を表示する第２の表示制御手段と、
シーン変化を検知するシーン変化検知手段と、
を備え、所定のシーン変化の基準に対し、シーン変化が前記所定基準以上の場合、前記推奨画像の表示を取り下げることを特徴とする撮像装置。
【請求項２】
所定のシーン変化の基準に対し、シーン変化が前記所定基準以上の場合、前記所定のタイミングとは異なる第二のタイミングで撮影シーンの解析を行い、前記第二のタイミングで取得した動画像に対し、前記第二のタイミングで行ったシーン解析の結果に基づく画像処理を施した１枚以上の推奨画像を表示する第３の表示制御手段を備えることを特徴とする請求項１に記載の撮像装置。
【請求項３】
前記所定のタイミングとは、撮影者が撮像装置に対し、前記シーン解析及び前記推奨画像の表示の指示を行ったタイミングであることを表すことを特徴とする請求項１又は請求項２に記載の撮像装置。
【請求項４】
前記所定のシーン変化の基準に対し、シーン変化が前記所定基準未満の場合、前記推奨画像の表示を継続することを特徴とする請求項１又は請求項２に記載の撮像装置。
【請求項５】
撮影者が前記推奨画像を一度でも選択した場合、前記所定のシーン変化の基準は、選択しなかった場合と比較して厳しい基準となることを特徴とする請求項１又は請求項２に記載の撮像装置。
【請求項６】
画像を表示する表示装置を持ち、前記第１及び第２及び第３の表示制御手段は各々の画像を前記表示装置に表示することを特徴とする請求項１又は請求項２に記載の撮像装置。
【請求項７】
撮影者が前記推奨画像を選択した場合、前記第１の表示制御手段は、選択された前記推奨画像に対して施されている画像処理を、撮像した動画像に施してから表示することを特徴とする請求項１又は請求項２に記載の撮像装置。
【発明の詳細な説明】
【技術分野】
【０００１】
本発明は、画像の自動提案を行う装置に関する。
【背景技術】
【０００２】
従来、被写体や撮影環境が異なる種々の撮影シーンを示す複数の見本画像を液晶画面上に表示し、撮影しようとする被写体等に応じた見本画像をユーザーに予め選択させ、撮影動作時には、選択された見本画像に対応する撮影条件を自動的に設定することにより、簡単な操作で、多様な被写体や撮影環境に応じた様々な撮影シーンに適した撮影条件や、好みに応じた撮影条件での撮影を可能とするモードがあった（特許文献１参照）。
【０００３】
また撮影待機中に、ライブビュー画像と、種々の撮影シーンへの対応を行った見本画像を表示し、所定の操作が行われた場合に、見本画像を現在の撮影シーンに対して適応的に変化させることを可能とする装置があった（特許文献２参照）。
【先行技術文献】
【特許文献】
【０００４】
【特許文献１】特開２００２−１０１３４号公報
【特許文献２】特許第４５３５３８９号公報
【発明の概要】
【発明が解決しようとする課題】
【０００５】
しかしながら、上記の特許文献１では、ユーザーによる見本画像の選択後、シーン変化が発生したとしても見本画像は変化しないため、現在のシーンに対する見本画像とは言い難い場合があった。
【０００６】
また上記の特許文献２では、所定の操作が行われた時、見本画像の表示を現在の撮影シーンに合わせて定期的に更新する仕組みのため、複数種の見本画像を表示する場合は装置の処理負荷が極めて高くなってしまう問題があった。
【０００７】
本発明の目的は、かかる従来の課題に鑑みてなされたものであり、所定の操作が行われた場合に、撮影シーンに応じた複数の見本画像の表示を行った後、シーン変化の程度に応じて、見本画像の表示を取り止めるか、もしくは継続して表示し続けるかを切り替える撮像装置を提供することにある。
【課題を解決するための手段】
【０００８】
上記の目的を達成するために、本発明に係る撮像装置は、
画像を撮像する撮像手段と、
撮像した動画像を表示する第１の表示制御手段と、
所定のタイミングで撮影シーンを解析するシーン解析手段と、
前記所定のタイミングで取得した動画像に対し、前記シーン解析の結果に基づく画像処理を施した１枚以上の推奨画像を表示する第２の表示制御手段と、
シーン変化を検知するシーン変化検知手段と、
を備え、所定のシーン変化の基準に対し、シーン変化が前記所定基準以上の場合、前記推奨画像の表示を取り下げることを特徴とする。
【発明の効果】
【０００９】
本発明によれば、シーン変化により不適となった画像処理を施している画像の自動提案を回避する撮像装置を提供することができる。
【図面の簡単な説明】
【００１０】
【図１】本発明の実施形態に係る撮像装置１００の構成を示すブロック図
【図２】本発明の実施形態に係る推奨画像生成及び表示の例を示した図
【図３】本発明の実施形態に係る撮像装置１００による撮影画像の自動提案の詳細について説明したフローチャート
【図４】本発明の実施形態に係る、自動提案の開始の方法を示した図
【図５】ステップＳ３０８における自動提案を取り下げるシーン変化の基準の例を示した図
【発明を実施するための形態】
【００１１】
以下に、本発明の好ましい実施の形態を、添付の図面に基づいて詳細に説明する。
【００１２】
図１は、本発明の実施形態に係る撮像装置１００の機能構成を示すブロック図である。
【００１３】
図１において、１０１は、撮像装置１００の操作者が撮像装置１００に対して各種の指示を入力するために操作するスイッチやボタンなどにより構成されている操作部である。
【００１４】
１０２は、同図に示す各部の動作を制御するものであり、操作部１０１からの指示に応じて各部を制御する制御部である。
【００１５】
なお、操作部１０１の中には、シャッタースイッチも含まれており、このシャッタースイッチが半押しの場合には、信号ＳＷ１が操作部１０１から制御部１０２に対して通知される。また、シャッタースイッチが全押しされている場合には、信号ＳＷ２が操作部１０１から制御部１０２に対して通知される。
【００１６】
１０３は、光電変換機能を備えたＣＣＤセンサやＣＭＯＳセンサ等の撮像素子で、レンズ１０７ａ、露出機構１０８ａを介して入射される光を受け、その光量に応じた電荷を出力する。
【００１７】
１０７は、被写体にピントを合わせるべくレンズ群１０７ａのうちの一つであるフォーカスレンズを動作させるＡＦ処理部であり、１０８は撮像画像が最適な露出になるように露出機構１０８ａを制御するＡＥ処理部である。またＡＦ処理部１０７は、後述の画像処理部１０４から出力された画像信号に基づき、ＡＦ評価値を算出する。ＡＦ評価値とは例えば、レンズ１０７ａの位置と撮像画像内におけるピント位置の相関などを表した値である。
【００１８】
１０４は、撮像素子１０３から出力された画像信号に対して各種の画像処理を行い、処理済みの画像信号を出力する画像処理部である。画像処理部１０４は、例えば、撮像素子１０３から受けた画像信号をデジタル画像信号に変換し出力する。更にＹＵＶ画像信号に変換して出力も行う。
【００１９】
１０５は、画像処理部１０４から出力されたデジタル画像信号の圧縮方式をＪＰＥＧなどの圧縮方式に変換し、画像記録部１０６に出力する圧縮方式変換部である。
【００２０】
１０６は、圧縮方式変換部１０５から受けた圧縮方式変換済みのデジタル画像信号を、撮像装置１００内の不図示のメモリや、撮像装置１００に挿入されている外部メモリなどに記録する処理を行う画像記録部である。
【００２１】
１０９は、液晶画面などにより構成されており、画像処理部１０４による処理済みの画像データに基づいた画像を表示する表示部である。また表示部１０９には様々な設定や操作を表すアイコンやボタンが表示されており、撮影者は、このアイコンやボタン等に触れることで、操作部１０１を介して、様々な設定や操作を行うことが可能である。
【００２２】
１１０は、露出やホワイトバランス等の撮影設定を管理する撮影設定部である。撮影設定部１１０は、ライブビュー、静止画、動画のいずれに対しても撮影設定の管理を行う。
【００２３】
１１１は、任意のタイミングで撮像された画像に関するデータと、その画像の撮像時の撮像装置１００に関するデータに基づき、撮影シーンを解析するシーン解析部である。例えばシーン解析部１１１は、任意のタイミング（以下、タイミングＡとする）の撮像画像にて人物被写体を検出し、更に１フレーム前の撮像画像と比較して人物被写体が静止していた場合、「人物静止」シーンとして定義する。
【００２４】
１１２は、シーン解析部１１１でのシーン解析結果に基づき、タイミングＡの撮像画像に対し、画像処理部１０４を介して各々で異なる画像処理を施した複数の推奨画像を生成する推奨画像生成部である。図２（Ａ）は推奨画像生成及び表示の例を示した図である。例えば図２のように「人物静止」シーンであった場合、「人物静止」シーンに適した３種の推奨画像「ＰＯＲＴＲＡＩＴ」「ＳＯＦＴ」「ＶＩＶＩＤ」を、推奨画像生成部１１２は生成する。そして表示部１０９は、図２（Ｂ）のような撮像装置１００内に存在する表示装置２０１に前記３種の推奨画像をライブビュー画像と共に表示する。
【００２５】
１１３は、後述の判定部１１４での判定に使用する所定の各項目に関し、タイミングＡと現在との変化を算出する変化算出部である。例えば、外光の明るさを表すＢｖに関してタイミングＡから現在までの変化量を算出したり、またはタイミングＡと現在で、撮像装置の装着レンズに違いがあるかを検知したりなどである。
【００２６】
１１４は、変化算出部１１３で算出した各項目の変化を参照し、所定の基準を満たしているか否か判定する。所定の基準を満たしていると判定した場合、撮像装置１００は推奨画像の取下げもしくは更新の動作に入る。
【００２７】
続いて、図３を用いて撮影画像の自動提案の流れを説明する。
【００２８】
図３は、撮像装置１００による画像の自動提案の動作を表したフローチャートである。
【００２９】
Ｓ３０１において、撮像装置１００は撮影設定部１１０により定められた撮影設定に基づき、ライブビューのフレームの撮像を開始する。尚、本実施形態においては特に断りが無い限り、静止画及び動画撮影時以外はライブビューのフレームは定期的に撮像されるものとする。またこの時表示部１０９は、図４（Ａ）の４０１のように撮影画像の自動提案を開始するためのボタンを表示する。
【００３０】
Ｓ３０２において、制御部１０２は自動提案ボタンが押下されたか否か判定する。具体的には、撮影者が前述の自動提案ボタンを表すアイコンに触れる場合か、もしくは図４（Ｂ）のように特定のメニュー操作で自動提案実行を選択した場合、操作部１０１を介し、制御部１０２は自動提案ボタンが押下されたと判定する。自動提案ボタンが押下されたと判定された場合はステップＳ３０３に処理を進める。
【００３１】
Ｓ３０３において、シーン解析部１１１は、自動提案ボタンが押下された時点のライブビュー画像（以下、提案時ＬＶ画像）に関するデータを画像記録部１０６から、撮像装置１００に関する情報を撮影設定部１１０からそれぞれ取得し、現在の撮影シーンを解析する。
【００３２】
Ｓ３０４において、推奨画像生成部１１２は、自動提案ボタンが押下された時点のライブビュー画像および画像データを画像記録部１０６から取得し、Ｓ３０３におけるシーン解析結果に基づき、取得したライブビュー画像に対して各々で異なる画像処理を施した複数の推奨画像を生成する。例えば図２（Ｂ）のように「ＰＯＲＴＲＡＩＴ」「ＳＯＦＴ」「ＶＩＶＩＤ」と３種類の画像処理を施した各画像を生成する。そして推奨画像の生成後、推奨画像生成部１１２は、表示部１０９を介して表示装置２００にライブビュー画像と共に表示する。
【００３３】
Ｓ３０５において、表示部１０９は、ライブビュー画像と共にステップＳ３０４で生成した推奨画像を表示装置２００に表示する。なおライブビュー画像が撮像される度、表示部１０９は表示装置２００に撮像されたライブビュー画像を更新して表示する。
【００３４】
Ｓ３０６において、判定部１１４は、直近で撮像されたライブビュー画像（以下、直近ＬＶ画像）が、提案時ＬＶ画像から１フレーム以上後のものであるか否か判定する。判定部１１４は撮影設定部１１０から何枚ライブビュー画像を撮像したかを表すフレームナンバーを取得し、そのフレームナンバーに基づき判定する。判定結果がＹＥＳの場合、処理をステップＳ３０７に進める。
【００３５】
またＳ３０５での推奨画像表示後からＳ３０７に至るまでに、撮影者が表示画面上の推奨画像に触れるか、もしくは特定のメニュー操作を行うことで推奨画像を選択した場合、選択した推奨画像に施したものと同等の画像処理を、画像処理部１０４はライブビュー画像にも適用し、そして表示部１０９はそのライブビュー画像を表示する。
【００３６】
Ｓ３０７において変化算出部１１３は、図５に示すような所定の各項目において、提案時ＬＶ画像と直近ＬＶ画像との差分を算出する。なお前回の差分算出時から直近ＬＶ画像が更新されるまでＳ３０７は行わない。
【００３７】
Ｓ３０８において、判定部１１４は、シーン変化が自動提案を取り下げる条件に該当しているか否か判定する。具体的には、Ｓ３０７で算出した提案時ＬＶ画像と直近ＬＶ画像との各項目における変化が、１つでも自動提案取下げの基準を満たした場合、判定結果をＹＥＳとする。判定結果がＹＥＳの場合、ステップをＳ３０９へと進める。判定結果がＮＯの場合、ステップをＳ３０７へと戻す。またその際推奨画像の表示は継続される。
【００３８】
またＳ３０５〜Ｓ３０７の間に撮影者が推奨画像を一度でも選択していた場合は、Ｓ３０８における自動提案取下げの基準の一部は、一度も推奨画像を選択していない場合と比較して、厳しい基準となる。例えば、一度も選択していない場合の自動提案取下げの露出補正変化量の基準は１段だが、選択していた場合は２段となる。
【００３９】
Ｓ３０９において、制御部１０２は推奨画像（撮影画像）の自動提案を取り下げ、ステップをＳ３０２へと戻す。具体的には、制御部１０２は表示部１０９に対し、推奨画像を非表示にし、更に自動提案ボタンの表示を行わせる。
【００４０】
なおＳ３０９において、制御部１０２は推奨画像を非表示ではなく更新をしてもよい。この場合ステップをＳ３０３に戻すのだが、提案時ＬＶ画像を使用せず、Ｓ３０９の時点で直近のライブビュー画像を使用して行う。
【００４１】
なお本フローのどの状況においても、シャッタースイッチを全押しすることで静止画撮影が可能である。その際、静止画撮影時にライブビュー画像にかけられていたものと同等の画像処理を静止画にも行う。
【００４２】
以上、本発明の好ましい実施形態について説明したが、本発明はこれらの実施形態に限定されず、その要旨の範囲内で種々の変形及び変更が可能である。
【符号の説明】
【００４３】
１００  撮像装置、１０１  操作部、１０２  制御部、１０３  撮像素子、
１０４  画像処理部、１０５  圧縮方式変換部、１０６  画像記録部、
１０７  ＡＦ処理部、１０７ａ  レンズ、１０８  ＡＥ処理部、
１０８ａ  メカ機構、１０９  表示部、１１０  撮影設定部、
１１１  シーン解析部、１１２  推奨画像生成部、１１３  変化算出部、
１１４  判定部、２０１  表示装置、４０１  自動提案ボタン、
４０２  操作部材
【図１】
2019075631.tif 000003
【図２】
2019075631.tif 000004
【図３】
2019075631.tif 000005
【図４】
2019075631.tif 000006
【図５】
2019075631.tif 000007